(57)【特許請求の範囲】
【請求項１】
移動通信用の制御情報を受信するように配列されている受信部分（１）を含み、前記受信部分（１）が、同報通信信号も受信するように配列されている少なくとも１つの構成要素を含む移動通信用端末装置であって、
前記制御情報が受信される時点に対応した時間の最中において、前記同報通信信号の受信に生じるギャップがマスクされるように、前記移動通信用端末装置が配列されており、
前記同報通信信号の受信から前記制御情報の受信に、あるいは前記制御情報の受信から前記同報通信信号の受信に、前記受信部分（１）を切り換えるように配列された制御装置（５）と、
前記受信部分（１）による前記制御情報の受信の最中に代替え信号を発生するように配列されたディジタル信号処理装置（３）と、
前記同報通信信号及び前記代替え信号を受信するように配列されたオーディオ段（２）と、
をさらに備え、
前記制御情報の受信の最中に前記代替え信号を前記オーディオ段（２）に提供することで、前記同報通信信号の受信の最中に発生する前記ギャップがマスクされる、端末装置。
【請求項２】
移動無線受信信号および同報通信受信信号が単一の中間フィルタ（３２）を介して伝えられる、請求項１に記載の端末装置。
【請求項３】
前記受信部分は、移動無線信号も受信するように配列され、前記移動無線信号、前記移動通信用の前記制御情報、および前記同報通信信号は、制御可能なスイッチ（４５、５０）を介して前記受信部分（１）の受信段の入力に加えられる、請求項１に記載の端末装置。
【請求項４】
前記代替え信号は、既に受信され格納されたオーディオ信号の繰り返しである、請求項１乃至３のいずれか一に記載の受信装置。
【発明の詳細な説明】
【０００１】
【発明の属する技術分野】
本発明は移動通信用の装置、例えば集積同報通信受信回路を有する移動無線受信機に関する。
【０００２】
【従来の技術】
例えば、ＤＥ４１４１３８２Ａ１には、コンピュータ、書取り装置、リモートコントロール、および放送および／またはテレビジョン受信機のようないくつかの追加機能を備えた付加機能コードレス電話について記述されている。電話機能のために設けられた要素、例えば数字パッド、ファンクションキー、および特に電源は、電話と集積付加機能とで共用しなければならない。
【０００３】
完全に有用であるためには、移動通信用装置は、使用されていない時にも制御情報を受信しなければならないので、移動通信用装置の他の部分、例えばキー、ディスプレイおよび電源を共通使用することは、移動通信装置ではここまでは成功していない。
【０００４】
【発明が解決しようとする課題】
本発明の目的は、同報通信信号を受信するために、移動通信用端末の回路要素を共通使用できるようにすることである。
【０００５】
【問題を解決するための手段】
この目的は、受信部分の少なくとも１つの構成要素を同報通信信号を受信するように配列し、移動通信用の制御情報が受信される時に同報通信の受信に生じるギャップをマスクするための処置を講じることで達成される。
【０００６】
利点は、聞き手が注目している制御情報の受信にギャップを生じることなしに、移動無線電話受信機の構成要素をここで同報通信受信のためにも使用することができることにある。特に、ディジタル信号処理装置（普通どんなに離れたところにもある）が同報通信信号のギャップをマスクするために使用される時には、同報通信の受信部分と移動無線電話受信機の受信部分を互いに隣合って集積化する場合よりも、同報通信受信機の機能に必要な追加のスペースが小さくなる。
【０００７】
本発明は、図面に示す実施形態を参照して以下で詳細に説明する。
【０００８】
【発明の実施の形態】
図１は本発明による受信機の基本概念を示す。受信部分１のできるだけ多くの構成要素を移動無線チャネル並びに無線局の受信に共通に使用する。さらに、オーディオ段２およびディジタル信号処理装置３でスピーカ４またはヘッドセットを介して再生するための処理が行われる。同報通信の受信中に、制御装置５は、所定の時点で受信部分を移動無線帯域の制御チャネルの受信に切り換える。この間に、ディジタル信号処理装置３は、制御情報を受信することで生じる同報通信帯域の受信ギャップをマスクする代替え信号を生成する。例えば、このために、ディジタル信号処理装置は、切換え前に同報通信帯域で受信されたシーケンス、例えば受信されたオーディオ信号の最後の２０ｍｓをただ単に繰り返すだけである。
【０００９】
図２は、ＶＨＦ帯域のＧＳＭ、ＤＣＳ１８００と同報通信信号用の多帯域無線装置の受信部分１の実現可能な実施形態を示す。受信部分の大部分の構成要素は集積回路ＩＣに含まれている。伝送部分は同報通信受信機で使用されず、したがって本発明の一部を形成しないので、理解し易くするために省略している。当業者によく知られている他の部品、例えば移動無線の受信並びに同報通信の受信に公知の方法で使用されているキーボード、表示要素、および電源もまた、この理由のために省略している。
【００１０】
第１のアンテナ６および第１の前置フィルタ７は、ＤＣＳ１８００帯域を受信するように配列され、一方で、第２のアンテナ８および第２の前置フィルタ９はＧＳＭ帯域を受信するように配列され、さらに第３のアンテナ１０および第３の前置フィルタ１１は、ＶＨＦ同報通信を受信するように配列されている。個々の受信信号は個別の増幅器１２、１３、１４を介して個別のミキシング段１５、１６、１７に加えられる。しかし、ミキシング周波数は単一の発振器１８で生成される。この発振器１８はＰＬＬ回路を使用し、全てのミキシング段に共通であり、したがって全ての周波数帯域に共通である。本実施形態のＰＬＬ回路は、外部で集積回路ＩＣに接続されている水晶結晶である水晶発振器１９、自動周波数制御装置２１、ロックイン検出器２２、シーケンシャルスイッチング素子２３、前置カウンタ２４、プログラマブルカウンタ２５、位相検出器２６、電荷ポンプ２７、シフトレジスタ２８、局メモリ２９および外部でＩＣに接続されている低域フィルタ３０で構成される。
【００１１】
本実施形態で選ばれた受信概念は、受信周波数に比べて低い中間周波数、例えば１００ＫＨｚ、を利用するゼロに近い中間周波数の概念である。受信された周波数帯域は、いつも、第１の自動利得制御器３１に供給され、続いてゼロに近い中間周波数用の多相フィルタ３２を通る。その後で、ＧＳＭおよびＤＣＳ１８００の受信信号は、さらに、第２の自動利得制御器３３、バッファ増幅器３４およびアナログディジタル変換器３５で処理されるが、一方で、同報通信信号のためには、第３の自動利得制御器３７および多相ＦＭ検知器３８を備えた並列処理ブランチが設けられている。
【００１２】
一般に、本発明による概念では、一方で移動無線帯域と同報通信帯域を受信するために受信部分の個々の回路要素を共通使用することと、他方でそのような回路要素を共通使用することができるようにするための費用との間で妥協を見出さなければならない。前記の実施形態では、同報通信送信機の場合の周波数は、移動無線送信機の周波数のように安定していないから、そのために受信周波数を同報通信送信機の変動する伝送周波数に再調整しなければならないので、例えば共通ＰＬＬ回路でだけ費用が増加する。
【００１３】
しかし、第２の実施形態では、集積回路（本実施形態のフィリップスの回路ＯＭ５１７８）が、同報通信信号帯域の受信にも、修正なしで、完全に使用される。ＰＬＬがより低い基準クロックを必要とするのは、移動無線帯域と同報通信帯域の受信周波数が異なるためだけである。本発明のこの概念によれば、ＧＳＭ受信信号および同報通信受信信号は、個別のアンテナ４０、４２および個別の前置フィルタ４１、４３を介して受信されて、第１のスイッチ４５および第１の平衡不平衡変成器４６を介して、集積回路ＩＣの高周波信号入力に加えられる。さらに、ＧＳＭ帯域および同報通信帯域のために、個別の外部制御可能発振器４７、４８が設けられ、この個別の外部制御可能発振器は、外部ＰＬＬフィルタ４９を介して、集積回路ＩＣに含まれたＰＬＬスイッチング回路からのそれぞれの制御信号を受け取る。関連した制御可能発信器の出力信号は第２のスイッチ５０を用いて選択されて、第２の平衡不平衡変成器５１を介して集積回路に加えられる。
さらに、外部発振器５２が使用され、その発振器の出力信号は、同報通信帯域にはより低い基準周波数が必要になるために、ディジタル信号処理装置ＤＳＰで調整可能な周波数分周器５３を経由して加えられる。例えば、ステレオ検出並びにＲＤＳ（Ｒａｄｉｏ  Ｄａｔａ  Ｓｉｇｎａｌ、ラジオデータ信号）などの同報通信信号に含まれた他の機能の検出のような同報通信の受信に特有な機能は全て、ディジタル信号処理装置ＤＳＰまたはＢａｓｅｂａｎｄ  Ａｕｄｉｏ  Ｉｎｔｅｒｆａｃｅ（ベースバンドオーディオインタフェース）ＢＡＬで完全に行われる。例えば、同報通信の受信周波数を同報通信用送信機の変動に再調整するＡＦＣ信号は、ベースバンドオーディオインタフェースＢＡＩで生成され、同報通信受信周波数を調整するために使用される制御可能発振器４８の第２の制御入力に加えられる。
【００１４】
もちろん、周波数帯域ＧＳＭおよびＤＣＳ１８００は、ただ例として示したにすぎない。本発明は、待機状態で時々制御情報を受信する必要がある限りでは、他の受信帯域にも等しく適切に使用することができる。
【図面の簡単な説明】
【図１】本発明による受信機の回路図を示す。
【図２】受信段の特定の回路要素だけが、移動無線の受信と同報通信の受信に共通に使用される第１の実施形態を示す。
【図３】集積受信段が移動無線信号と同報通信信号を受信するために完全に使用される第２の実施形態を示す。
【符号の説明】
１  受信部分
２  オーディオ段
３  ディジタル信号処理装置
４  スピーカ
５  制御装置
６  第１のアンテナ
７  第１の前置フィルタ
８  第２のアンテナ
９  第２の前置フィルタ
１０  第３のアンテナ
１１  第３の前置フィルタ
１２〜１４  増幅器
１５〜１７  ミキシング段
１８  発振器
１９  水晶発振器
２１  自動周波数制御装置
２２  ロックイン検出器
２３  シーケンシャルスイッチング素子
２４  前置カウンタ
２５  プログラマブルカウンタ
２６  位相検出器
２７  電荷ポンプ
２８  シフトレジスタ
２９  局メモリ
３０  低域フィルタ
３１  第１の自動利得制御器
３２  多相フィルタ
３３  第２の自動利得制御器
３４  バッファ増幅器
３５  アナログディジタル変換器
３７  第３の自動利得制御器
３８  多相ＦＭ検知器
４０、４２  アンテナ
４１、４３  前置フィルタ
４５  第１のスイッチ
４６  第１の平衡不平衡変成器
４７、４８  外部制御可能発振器
４９  外部ＰＬＬフィルタ
５０  第２のスイッチ
５１  第２の平衡不平衡変成器
５２  外部発振器
【図１】
0004570767.tif 000002
【図２】
0004570767.tif 000003
【図３】
0004570767.tif 000004